(57)【要約】【課題】  万が一薬液等の輸液が漏れ出してもコンセントボックスの差込口に輸液が浸入することの無いシリンジポンプ搬送カートを提供する。【解決手段】  薬液等の輸液が収納されたシリンジポンプＸを取り付けて、患者の移動に合わせて当該シリンジポンプＸを移動させるためのシリンジポンプ搬送カート１００であって、シリンジポンプＸに電源を供給する為の電源プラグを差し込み可能なコンセントボックス１４０を備え、このコンセントボックス１４０は、プラグを差し込むための差込口１４６が鉛直下方に向けて配置されると共に、当該差込口１４６を全周に渡って取り囲むように差込口１４６よりも更に下方にまで延在したスカート部１４１ａを備える。【選択図】図１
2014104011.tif 000002
【特許請求の範囲】
【請求項１】
薬液等の輸液が収納されたシリンジポンプを取り付けて、患者の移動に合わせて当該シリンジポンプを移動させるためのシリンジポンプ搬送カートであって、
前記シリンジポンプに電力を供給する為の電源プラグを差し込み可能なコンセントボックスを備え、
当該コンセントボックスは、前記プラグを差し込むための差込口が鉛直下方に向けて配置されると共に、当該差込口を全周に渡って取り囲むように前記差込口よりも更に下方にまで延在したスカート部を備える
ことを特徴とするシリンジポンプ搬送カート。
【請求項２】
請求項１において、
前記コンセントボックスは、天面及び側面が継ぎ目の無い一枚板部材により構成されている
ことを特徴とするシリンジポンプ搬送カート。
【請求項３】
請求項１又は２において、
前記シリンジポンプ搬送カートには、当該カートが転倒しないように支持する脚部と当該脚部の略先端に設けられたキャスターが備わっており、
更に、前記脚部の上方位置に、当該脚部の先端よりも水平方向外側の位置にまで延在する電源線引出部を備える
ことを特徴とするシリンジポンプ搬送カート。
【請求項４】
請求項１〜３のいずれかにおいて、
前記コンセントボックスの側面には、電源線を引っ掛けるための引掛部を備える
ことを特徴とするシリンジポンプ搬送カート。
【発明の詳細な説明】
【技術分野】
【０００１】
本発明は、医療機関等において使用されているシリンジポンプを搬送する為のカートの技術分野に関する。
【背景技術】
【０００２】
従来から、病院内等では、患者に対して薬液等の輸液を設定流量で自動的に供給するためにシリンジポンプが使用されている。これらシリンジポンプは、患者の移動に伴って移動させる必要があるため、キャスター付きのカートに設置されることが通常である。
【０００３】
例えば特許文献１に記載されている医療電子機器用カート１００（符号は特許文献１に添付された図面の符号をそのまま流用：以下この段落において同じ。）は、載置台２上にシリンジポンプ等の電子機器１を配置し、これら電子機器１に電源を供給するための電源ボックス１０を備えている。このコンセントボックス１０の側面には電源入力端子４や電源出力端子３が設けられている。この電源出力端子３は、電子機器１と電源コードを介して接続されている。
【０００４】
また出願人は、上記特許文献１に記載の医療電子機器用カートより機能性の高いシリンジポンプ搬送カート１０を既に製造販売している（図５参照）。このシリンジポンプ搬送カート１０は、支柱１１に対して高さ方向の所望位置に固定できるシリンジポンプ取付部１４を備え、当該シリンジポンプ取付部１４にシリンジポンプ（図示していない）を取り付けることができる。またこのシリンジポンプ取付部１４の下方にはコンセントボックス１６が備わっており、シリンジポンプ取付部１４に取り付けたシリンジポンプの電源プラグを差し込むことによって、シリンジポンプに対して電力を供給することが可能となっている。なお符号２０はコンセントボックス１６から延在する電源線であり、これを壁面に備わるプラグ差込口等に差し込むことでコンセントボックス１６へ電力が供給されることとなる。
【先行技術文献】
【特許文献】
【０００５】
【特許文献１】特開２００２−１７７３４７号公報
【発明の概要】
【発明が解決しようとする課題】
【０００６】
しかしながら、特許文献１に記載の医療電子機器用カートは、電子機器の電源コンセントを差し込む電源出力端子が側面に向かって開口しているので、当該部分に薬液等の輸液が漏れ入る可能性がある。仮に薬液等が流れ込むとショートを起こし、電子機器が動作しなくなり、薬液等の輸液を患者に供給出来ないといった事態を誘発することになる。
【０００７】
出願人が従来製造販売していたシリンジポンプ搬送カート１０においては、コンセントボックス１６の天面に庇部材１８を設けて薬液等の輸液が差込口部分に侵入することを防止しているが、更なる安心感が求められていたという現状があった。
【０００８】
そこで本発明は、万が一薬液等の輸液が漏れ出してもコンセントボックスの差込口に輸液が浸入することの無いシリンジポンプ搬送カートを提供する事をその課題としている。
【課題を解決するための手段】
【０００９】
上記課題を解決するべく、本願発明は、薬液等の輸液が収納されたシリンジポンプを取り付けて、患者の移動に合わせて当該シリンジポンプを移動させるためのシリンジポンプ搬送カートであって、前記シリンジポンプに電力を供給する為の電源プラグを差し込み可能なコンセントボックスを備え、当該コンセントボックスは、前記プラグを差し込むための差込口が鉛直下方に向けて配置されると共に、当該差込口を全周に渡って取り囲むように前記差込口よりも更に下方にまで延在したスカート部を備えることを特徴とする。
【００１０】
このように、第一には、コンセントボックスにおける（プラグ）差込口を鉛直下方に向けて配置したことによって、薬液等が飛散しても直接差込口に付着することを防止すると共に、漏れ伝わった場合でも、重力が存在しているので薬液等が差込口を遡って侵入することも無い。更に第二には、この差込口の周りをぐるりと全周に渡って取り囲むように当該差込口（の高さ位置）よりも更に下方にまで延在するスカート部を備えているので、仮に薬液等が溢れてコンセントボックスに大量に降りかかったとしても、当該スカート部を伝って薬液等は流れ落ちるので、差込口に近付くことさえ不可能である。このように本発明に係るシリンジポンプ搬送カートにおいては、差込口に対して二段階の輸液等の侵入防御策を講じているのである。
【００１１】
また、前記コンセントボックスは、天面及び側面が継ぎ目の無い一枚板部材により構成されている、ことを特徴とする。
【００１２】
このような構成を採用したことによって、コンセントボックス内に薬液等が浸み入ることを完全に防止し、使用者の安心感を高めることができる。
【００１３】
また、前記シリンジポンプ搬送カートには、当該カートが転倒しないように支持する脚部と当該脚部の略先端に設けられたキャスターが備わっており、更に、前記脚部の上方位置に、当該脚部の先端よりも水平方向外側の位置にまで延在する電源線引出部を備えることを特徴とする。
【００１４】
このような構成を採用したことによって、カートを移動させた際に電源線がキャスターに絡まったり、電源線がキャスターに踏まれたりすることを未然に防止できるので、移動しやすく安全であり、電源線の内部断線といった事態も防止することができる。
【００１５】
また、前記コンセントボックスの側面には、電源線を引っ掛けるための引掛部を備えることを特徴とする。
【００１６】
このような構成を採用したことによって、コンセントボックスから出ている電源線や、シリンジポンプに備わる電源線を纏めて引っ掛けておくことができるので、シリンジポンプ操作持やカート移動の際に、電源線が人体や他の部材と絡まるといった不具合を防止することができる。
【発明の効果】
【００１７】
本発明を適用することで、万が一、薬液等の輸液が漏れ出してもコンセントボックスの差込口に輸液が浸入することの無いシリンジポンプ搬送カートを提供する事ができる。
【図面の簡単な説明】
【００１８】
【図１】本発明に係るシリンジポンプ搬送カートの全体図であって、（ａ）が右側面図、（ｂ）が正面図である。
【図２】図１（ｂ）における矢視Ａ−Ａ線に沿う断面図である。
【図３】コンセントボックスの拡大図であって、（ａ）が平面図、（ｂ）が正面図、（ｃ）が底面図である。
【図４】コンセントボックスの拡大図であって、斜め下方（底面側）よりの斜視図である。
【図５】従来例のシリンジポンプ搬送カートの一例を示した全体図であって、（ａ）が右側面図、（ｂ）がコンセントボックス部分の正面図である。
【発明を実施するための形態】
【００１９】
以下、添付図面を参照しつつ、本発明の実施形態の一例であるシリンジポンプ搬送カート１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２０】
〈シリンジポンプ搬送カートの構成〉
図１に示しているように、本発明に係るシリンジポンプ搬送カート１００は、薬液等の輸液が収納されたシリンジポンプＸを取り付けて、患者の移動に合わせて当該シリンジポンプＸを適宜移動させるためのカートである。
【００２１】
シリンジポンプ搬送カート１００は、平面視放射状に伸びた５本の脚部１１０と、当該脚部１１０の先端近傍に設けられたキャスター１１２を備える。脚部１１０中央には柱状の回転支持連結部材１１４が備わっており、当該回転支持連結部材１１４の上端に平面視略三角形状のベース部１２０が連結固定されている。回転支持連結部材１１４によって、脚部１１０とベース部１２０は自由に回転する事が可能に構成されている。
【００２２】
ベース部１２０の側面には、電源線引出部１２２が水平方向に取り付けられ、当該電源線引出部１２２の先端１２２ａから電源線１２４が露出している。なお、この電源線引出部１２２の先端１２２ａは、脚部１１０の先端（図２におけるαの位置）よりも水平方向外側の位置にまで延在する長さとされている。
【００２３】
平面視略三角形のベース部１２０には、各頂点位置近傍から３本のポールが立設されている。うち一本は伸縮ポール１３８を収納するための伸縮ポールベース１３０であり、他の二本はシリンジポンプＸを取り付ける為の第１支柱１３２及び第２支柱１３４である。
【００２４】
伸縮ポールベース１３０は、第１第２支柱１３２、１３４よりも長く構成されており、中空とされている内部に、一段細い伸縮ポール１３８を収納して構成されている。伸縮ポール１３８は伸縮ポール固定部１３６によって所望の高さ位置に調整して固定することが可能となっている。また伸縮ポール１３８の先端には、輸液袋（例えば点滴袋）を吊り下げておくことができる輸液袋吊下部１３９が備わっている。また、伸縮ポールベース１３０の途中には、載置トレー１６０が取り付けられている。この載置トレー１６０は、載置トレー固定部１６２によって伸縮ポールベース１３０の所望の高さ位置及び所望の向きに固定することが可能となっている。
【００２５】
一方、第１支柱１３２及び第２支柱１３４は同じ長さとされており、上端に第２コンセントボックス１５０が設置固定されている。また第１支柱１３２及び第２支柱１３４の途中には第１コンセントボックス１４０が設置固定されている。これら２つのコンセントボックス１４０、１５０は、いずれも第１支柱１３２及び第２支柱１３４を繋ぐように架設されており、両支柱１３２、１３４の全体としての剛性を高めるように構成されている。
【００２６】
両コンセントボックス１４０、１５０の間、及び、第１コンセントボックス１４０とベース部１２０の間のスペースには、シリンジポンプＸが適宜取り付けられる（シリンジポンプＸ自体は本発明の構成要素ではない。）。シリンジポンプＸは、第１支柱１３２又は第２支柱１３４の所望の位置に取り付けられ、且つ、各シリンジポンプＸの電源線の先端に備わるプラグ（図示していない。）が、コンセントボックス１４０、１５０の底面に設けられたプラグ差込口（この点詳細は後述する。）に差し込まれて電力の供給を受け作動できる構成とされている。
【００２７】
次に第１コンセントボックス１４０の構成について詳述する。なおここでは下方に設置されている第１コンセントボックス１４０について説明するが、上方に設置されている第２コンセントボックス１５０についても基本的に同様の構成（各支柱１３２、１３４が天板を貫通しているか否かの違いがあるがその他の部分は基本的に同様の構成）であるため重複説明は省略する。
【００２８】
コンセントボックス１４０は、平面視横長の矩形体であり、正面視するとより横長の矩形体として構成されている。換言すると四角い弁当箱形状を呈している。コンセントボックス１４０の四方側面中央には、夫々略「コの字」形状の引掛部１４２が取り付けられていて、電源線やその他所望の物品を引っ掛けておくことが可能となっている。コンセントボックス１４０の天面側から底面側にかけて、第１支柱１３２及び第２支柱１３４を挿通させる為の挿通孔１４９が２つ設けられている。
【００２９】
コンセントボックス１４０は、天面及び側面が一枚の部材（一枚板部材）をプレス加工等することによって継ぎ目無く構成されたコンセントボックス本体カバー１４１と、底面側に取り付けられる差込口取付パネル１４４を主たる部材として構成されている。差込口取付パネル１４４にはプラグ差込口１４６が当該コンセント取付パネル１４４と略面一となるように取り付けられている。即ち、コンセントボックス１４０においては、差込口１４６が鉛直下方に開口するように取り付けられている。更に、差込口取付パネル１４４は、コンセントボックス本体カバー１４１の下端ではなく奥まった位置（取り付けた状態では上方位置）に設置固定されているので、結果、差込口１４６の全周を取り囲むように、差込口１４６の高さ位置よりも下方にまでコンセントボックス本体カバーの側面が延在するように構成されている。この延在部分がスカート部１４１ａである。
【００３０】
なお、コンセントボックス１４０の差込口１６４には、ベース部１２０の電源線引出部１２２から出ている電源線１２４に電気的に接続されており、当該電源線１２４の先端に備わるプラグ（図示していない。）を所望のプラグ差込口（コンセント）に差し込むことによって、コンセントボックス１４０に電力が供給される構成となっている。
【００３１】
〈シリンジポンプ搬送カートの作用・機能〉
本発明に係るシリンジポンプ搬送カート１００に、必要な数だけシリンジポンプＸを取り付ける（図１においては６つのシリンジポンプＸが装着されているがこれに限られない）。また、シリンジポンプＸに備わる電源線（の先端に備わるプラグ）を、第１コンセントボックス１４０（若しくは第２コンセントボックス１５０）の底面に備わる差込口１６４に差し込む。更に、ベース部１２０の電源線引出部１２２から出ている電源線１２４（の先端に備わるプラグ）を所望の（例えば病院内の壁面に備わる）プラグ差込口に差し込む。これにより各シリンジポンプＸには必要に応じて電力が供給されることとなる。また必要があれば、伸縮ポール１３８の輸液袋吊下部１３９に点滴袋等を吊り下げて使用してもよい。
【００３２】
本発明に係るシリンジポンプ搬送カート１００においては、シリンジポンプＸに電力を供給する為の差込口１４６が、コンセントボックス１４０の底面側に鉛直下方に向けて開口するように配置構成されており、更に、この差込口１４６の周りにはスカート部１４１ａが下方にまで延在するように存在しているので、万が一、シリンジ内の輸液が溢れたり、点滴袋が破れて大量の液体がコンセントボックス１４０に降りかかったとしても、差込口１４６内にこれら輸液等が侵入して電気的にショートを起こし、シリンジポンプＸに電力を供給できない状態となることは皆無である。
【００３３】
特に、本発明に係るシリンジポンプ搬送カート１００におけるコンセントボックス１４０は、天面及び側面が継ぎ目の無い一枚板部材により構成されているので、コンセントボックス１４０内に薬液等が浸み入ることを完全に防止し、使用者の安心感を高めることも実現している。
【００３４】
また、本発明に係るシリンジポンプ搬送カート１００においては、コンセントボックス１４０の即面に引掛部１４２を備えている。これにより、必要に応じて電源線１２４や、シリンジポンプに備わる電源線を纏めて引っ掛けておくことができるので、シリンジポンプＸ操作持やカート移動の際に、これら電源線が人体や他の部材と絡まるといった不具合を防止することができる。
【００３５】
また、本発明に係るシリンジポンプ搬送カート１００においては、カート１００が転倒しないよう支持する脚部１１０とこの脚部１１０の略先端に設けられたキャスター１１２が備わっており、更に、脚部１１０の上方位置に、当該脚部１１０の先端よりも水平方向外側の位置にまで延在する電源線引出部１２２を備えているので、シリンジポンプ搬送カート１００を移動させた際に電源線１２４がキャスター１１２に絡まったり、電源線１２４がキャスター１１２に踏まれたりすることを未然に防止でき、移動しやすく安全であり、意図せず電源線１２４の内部断線といった事態も防止することも可能となっている。
【００３６】
なお、本発明はシリンジポンプを取り付けて搬送する為のカートであるが、シリンジポンプ以外を取り付けて搬送させることはもちろん可能である。特に電力の供給が必要な機材であれば上記同様の作用効果を発揮し得る。    
【符号の説明】
【００３７】
１００・・・シリンジポンプ搬送カート
１１０・・・脚部
１１２・・・キャスター
１１４・・・回転支持連結部材
１２０・・・ベース部
１２２・・・電源線引出部
１２４・・・電源線
１３０・・・伸縮ポールベース
１３２・・・第１支柱
１３４・・・第２支柱
１３６・・・伸縮ポール固定部
１３８・・・伸縮ポール
１３９・・・輸液袋吊下部
１４０・・・第１コンセントボックス
１４２・・・引掛部
１４１・・・コンセントボックス本体カバー
１４４・・・差込口取付パネル
１４６・・・（プラグ）差込口
１４９・・・挿通孔
１５０・・・第２コンセントボックス
１５２・・・引掛部
１５４・・・把持ハンドル
１６０・・・載置トレー
１６２・・・載置トレー固定部
Ｘ・・・シリンジポンプ
【図１】
2014104011.tif 000003
【図２】
2014104011.tif 000004
【図３】
2014104011.tif 000005
【図４】
2014104011.tif 000006
【図５】
2014104011.tif 000007